(57)【要約】【課題】集塵室より着脱し易く、しかも集塵袋の廃棄が容易なバスケット体を有する電気掃除機を提供する。【解決手段】吸引風を発する電動送風機２および集塵室３を内蔵する掃除機本体１と、前記集塵室３に着脱自在に装着されるバスケット体６とを備え、前記バスケット体６は、塵埃を捕集する集塵袋５が載置される底壁部１４、前記底壁部１４に対して回動自在に軸支された前壁部８を有するもので、バスケット体６から集塵袋５を捨てる際に、バスケット体６を前方に傾けるだけで前壁部８が前方に回動し、集塵袋５が前方より自重で落下し簡単に廃棄できる。また、集塵袋５を係止させるクランプが必要ないため部品点数を削減でき、安価に使い勝手を向上できる。【選択図】図２
2005237407.tif 000002
【特許請求の範囲】
【請求項１】
吸引風を発する電動送風機および集塵室を内蔵する掃除機本体と、前記集塵室に着脱自在に装着されるバスケット体とを備え、前記バスケット体は、塵埃を捕集する集塵袋が載置される底壁部、前記底壁部に対して回動自在に軸支された前壁部を有する電気掃除機。
【請求項２】
前壁部に、集塵袋の口枠が装着される溝部を設けた請求項１記載の電気掃除機。
【請求項３】
バスケット体は左右に側壁部を有し、前記バスケット体の略重心位置を通る鉛直方向の軸線上に対向する前記左右の側壁部に、ハンドルを取付けた請求項１または２記載の電気掃除機。
【請求項４】
バスケット体に、左右の側壁部または後壁部の少なくとも１つを設けた請求項１または２記載の電気掃除機。
【請求項５】
使用者がハンドルを持ってバスケット体を掲げた状態で、前壁部が鉛直方向と略平行となる位置より後方へ回動するのを規制する第１の規制部を設けた請求項３記載の電気掃除機。
【請求項６】
使用者がハンドルを持ってバスケット体を掲げた状態で、前壁部が鉛直方向と略平行となる位置より、略垂直となる位置まで前方に回動した後、さらに回動するのを規制する第２の規制部を設けた請求項３記載の電気掃除機。
【請求項７】
使用者がハンドルを持ってバスケット体を掲げた状態で、前壁部を鉛直方向と略平行となる位置に仮固定するリブを設けた請求項３記載の電気掃除機。
【請求項８】
集塵室にバスケット体を装着したとき、前壁部を鉛直方向と略平行となる位置に規制する押圧部を前記集塵室に設けた請求項１〜７のいずれか１項に記載の電気掃除機。
【請求項９】
使用者がハンドルを持ってバスケット体を掲げた状態で、前壁部を鉛直方向と略平行となる位置に倒立するように付勢する付勢手段を設けた請求項３記載の電気掃除機。
【発明の詳細な説明】
【技術分野】
【０００１】
本発明は、集塵袋を収納するバスケット体を備えた電気掃除機に関するものである。
【背景技術】
【０００２】
従来の電気掃除機について、図１１、図１２を用いて説明する。
【０００３】
従来の電気掃除機の掃除機本体１は、吸引風を発生させる電動送風機２と集塵室３を内蔵し、集塵室３を開閉自在に覆う集塵蓋４を備えている。集塵室３内部には塵埃を捕集する集塵袋５を装着する為のバスケット体６が着脱自在に設けられている。バスケット体６の後面に集塵袋５を取出す為の取出し口７が、前壁部８の上方には集塵袋５を係止するクランプ９がそれぞれ備えられている。さらにバスケット体６の前壁部８の上方には、バスケット体６を持運ぶ為のハンドル部１０が形成されている。
【０００４】
上記構成により、塵埃で一杯になった集塵袋５を捨てる時は、バスケット体６の後面の取出し口７を床面側に傾かせ、クランプ９を解除して、バスケット体６から集塵袋５を廃棄するようにしていた(例えば、特許文献１参照)。
【特許文献１】特開２０００−７０９１４号公報
【発明の開示】
【発明が解決しようとする課題】
【０００５】
しかしながら、上記従来の構成では、塵埃で一杯になった集塵袋５を捨てる際に、クランプ９を解除する動作が必要で面倒であり、またクランプ９やその関連部品が必要で部品点数が多かった。
【０００６】
また、バスケット体６の後面が集塵袋５を廃棄する為に開放しているため、バスケット体６を集塵室３から取出す際に、大きく膨らんだ集塵袋５の後面が集塵室３の内壁に当たり、集塵袋５が破れたり、バスケット体６が取出し難いという課題があった。
【０００７】
本発明は上記従来の課題を解決するもので、バスケット体が集塵室より着脱し易く、バスケット体から容易に集塵袋を取りだし、廃棄することができる使い勝手のよい電気掃除機を提供することを目的とする。
【課題を解決するための手段】
【０００８】
上記従来の課題を解決するために、本発明の電気掃除機は、吸引風を発する電動送風機および集塵室を内蔵する掃除機本体と、前記集塵室に着脱自在に装着されるバスケット体とを備え、前記バスケット体は、塵埃を捕集する集塵袋が載置される底壁部、前記底壁部に対して回動自在に軸支された前壁部を有するもので、バスケット体から集塵袋を捨てる際に、バスケット体を前方に傾けるだけで前壁部が前方に回動し、集塵袋が前方より自重で落下し簡単に廃棄できる。また、集塵袋を係止させるクランプが必要ないため部品点数を削減でき、安価に使い勝手を向上できる。
【発明の効果】
【０００９】
本発明の電気掃除機は、バスケット体が集塵室より着脱し易く、バスケット体から集塵袋を簡単に廃棄することができる、使い勝手のよい電気掃除機を提供することができる。
【発明を実施するための最良の形態】
【００１０】
第１の発明は、吸引風を発する電動送風機および集塵室を内蔵する掃除機本体と、前記集塵室に着脱自在に装着されるバスケット体とを備え、前記バスケット体は、塵埃を捕集する集塵袋が載置される底壁部、前記底壁部に対して回動自在に軸支された前壁部を有するもので、バスケット体から集塵袋を捨てる際に、バスケット体を前方に傾けるだけで前壁部が前方に回動し、集塵袋が前方より自重で落下し簡単に廃棄できる。また、集塵袋を係止させるクランプが必要ないため部品点数を削減でき、安価に使い勝手を向上できる。
【００１１】
第２の発明は、前壁部に、集塵袋の口枠が装着される溝部を設けたもので、バスケット体から集塵袋を捨てる際に、前壁部が回動するのと同時に、前壁部の溝に装着された集塵袋の口枠も回動され、口枠が溝部内をスライドし、集塵袋が誘導されてスムーズに落下するため、簡単に廃棄でき使い勝手を向上できる。
【００１２】
第３の発明は、バスケット体は、左右に側壁部を有し、前記バスケット体の略重心位置を通る鉛直方向の軸線上に対向する前記左右の側壁部に、ハンドルを取付けたもので、バスケット体をバランス良く取り外し、および持ち運びができ、使い勝手を向上できる。
【００１３】
第４の発明は、バスケット体に、左右の側壁部または後壁部の少なくとも１つを設けたもので、側壁部、後壁部を設けた部分では、集塵袋と集塵室が直接当たらない為、集塵袋が大きく膨らんだ際にも、容易に集塵室からバスケット体内の集塵袋を取出すことができる。又、集塵袋が膨らんだ際に、集塵袋が集塵室にへばりつくことが無く、集塵袋と集塵室の間に空気の通路を確保できるため、吸込み性能が低下せず、使い勝手を向上できる。
【００１４】
第５の発明は、使用者がハンドルを持ってバスケット体を掲げた状態で、前壁部が鉛直方向と略平行となる位置より後方へ回動するのを規制する第１の規制部を設けたもので、前壁部を回動させ集塵袋を廃棄後、新しい集塵袋を装着し前壁部を正規の状態に戻す際に、前記第１の規制部により回動し過ぎることが無く、確実に正規の状態の鉛直方向と略平行となる位置の位置で保持することができ、使い勝手を向上できる。
【００１５】
第６の発明は、使用者がハンドルを持ってバスケット体を掲げた状態で、前壁部が鉛直方向と略平行となる位置より、略垂直となる位置まで前方に回動した後、さらに回動するのを規制する第２の規制部を設けたもので、バスケット体から集塵袋を捨てる際に、前記第２の規制部により前壁部が略９０度の水平位置を越えてさらに回動することがないので、集塵袋が一気に早く落ちてゴミが舞い上がることが無く、また廃棄後、新しい集塵袋を装着の際には、口枠を水平方向に挿入するだけで簡単に装着でき、使い勝手を向上できる。
【００１６】
第７の発明は、使用者がハンドルを持ってバスケット体を掲げた状態で、前壁部を鉛直方向と略平行となる位置に仮固定するリブを設けたもので、前壁部を回動させ集塵袋を廃棄後、新しい集塵袋を装着し前壁部を正規の鉛直方向と略平行となる位置状態に戻す際に、前壁部が仮固定されるため確実に正規の鉛直方向と略平行となる位置の位置に固定できる。また持運び移動中に前壁部が不用意に回動するのを防ぐことができる。
【００１７】
第８の発明は、集塵室にバスケット体を装着したとき、前壁部を鉛直方向と略平行となる位置に規制する押圧部を前記集塵室に設けたもので、集塵袋を廃棄後、新しい集塵袋を装着してバスケット体を集塵室に挿入する際に、前壁部が鉛直方向と略平行となる位置の位置にない場合でも、挿入と同時に前壁部が押圧部により押圧されて正規の鉛直方向と略平行となる位置の位置に確実に規制されるため、前壁部が鉛直方向と略平行となる位置の位置にある、ないを注意する面倒が無くなり、使い勝手を向上できる。
【００１８】
第９の発明は、使用者がハンドルを持ってバスケット体を掲げた状態で、前壁部を鉛直方向と略平行となる位置に倒立するように付勢する付勢手段を設けたもので、前壁部を回動させ集塵袋を廃棄後、新しい集塵袋を装着した際に、付勢手段により自動的かつ確実に正規の鉛直方向と略平行となる位置位置に戻るため、使い勝手を向上できる。
【００１９】
以下、本発明の実施の形態について、図面を参照しながら説明する。なお、この実施の形態によりこの発明が限定されるものではない。
【００２０】
（実施の形態１）
本発明の第１の実施の形態における電気掃除機について、図１〜図９を用いて説明する。
【００２１】
なお、従来例と同一部分については、同一符号を付してその説明を省略する。
【００２２】
図１は本実施の形態における電気掃除機の全体斜視図、図２は同電気掃除機の掃除機本体の断面図を示す。
【００２３】
図１および図２において、掃除機本体１は、吸引風を発生させる電動送風機２と、電動送風機２の吸引風の上流側には集塵室３を有し、集塵室３を開閉自在に覆う集塵蓋４を設けている。さらに集塵室３の上流側には、ホース１１の一端が接続され、そのホース１１の他端には延長管１２を介して床用吸込み口１３が接続されている。また集塵室３内には、塵埃を捕集する集塵袋５が装着可能なバスケット体６が着脱自在に設けられている。
【００２４】
次に図３〜図７を用いてバスケット体６の詳細について説明する。
【００２５】
図３はバスケット体６の側面図、図４は同バスケット体６の正面図、図５は集塵袋を廃棄する様子を示す同バスケット体側面図、図６は同バスケット体の斜視図、図７は図４のＡ−Ａ断面図を示す。
【００２６】
バスケット体６は、前壁部８と、集塵袋５を載せる底壁部１４と、側壁部１５および後壁部１６から構成されている。また、前壁部８の下端は軸１７により底壁部１４に回動自在に軸支されている。さらに底壁部１４、側壁部１５、後壁部１６には吸引風を通過させるための孔１８を設けてある。
【００２７】
前壁部８は、Ｌ字状の溝部１９を有しており、その溝部１９に集塵袋５の口枠２０を挿入し装着可能である。また前壁部８は、鉛直方向と略平行となる位置の位置（図７参照）より後方へ回動するのを規制する第１の規制部となる規制リブ（Ａ）２１、および略水平位置（図６参照）で回動を規制する第２の規制部となる規制リブ（Ｂ）２２を有している。さらに、前壁部８と底壁部１４には前壁部８を鉛直方向と略平行となる位置の位置に仮固定するためのリブ（Ｃ）２３を設けている。
【００２８】
１０は、上方に握り部１０ａを有し、左右の側壁部１５に取り付けられたハンドル部で、前記握り部１０ａはバスケット体６の略重心位置の上方に位置している。
【００２９】
また集塵室３内には、図２に示すように、バスケット体６を集塵室３に挿入する際に前壁部８を押圧するための押圧部２４を備えている。
【００３０】
以上のように構成された電気掃除機について、以下その動作、作用を説明する。
【００３１】
集塵袋５が満杯になりバスケット体６から集塵袋５を捨てる際には、まず集塵蓋４を回動させて開き、バスケット体６のハンドル部１０を握り、集塵室３より持ち上げて取り出す。次に図５および図６に示すように、バスケット体６を前方に傾けると、塵埃で重くなった集塵袋５の自重により前壁部８と底壁部１４に設けられたリブ（Ｃ）２３が互いに乗り越え、前壁部８が前側に回動し、集塵袋５の自重で落下し簡単に廃棄できる。
【００３２】
また、前壁部８が回動する際に、集塵袋５の口枠２０が溝部１９内をスライドして、集塵袋５が誘導されるため、スムーズに落下し、簡単に廃棄できる。
【００３３】
一方、バスケット体６を集塵室３より持ち上げて取り出す際に、略重心位置にあるハンドル部１０を持ち上げることによりバランスよく取り出せる。また、集塵袋５は底壁部１４、側壁部１５、後壁部１６に囲まれているため、集塵室３の内壁と直接当たることがなく、集塵袋５が大きく膨らんだ場合でも、容易に集塵室３からバスケット体６を取り出すことができる。さらに、掃除中に集塵袋５が膨らんでも、集塵袋５が底壁部１４、側壁部１５、後壁部１６により集塵室３の内壁にへばりつくことがないため、集塵袋５と集塵室３の間に空気の通路を確保でき、吸込み性能が低下せず、使い勝手を向上できる。
【００３４】
また、図７に示すように、前壁部８を回動させ集塵袋５を廃棄後、新しい集塵袋５を装着し前壁部８を正規の鉛直方向と略平行となる位置状態に戻す際に、規制リブ（Ａ）２１が底壁部１４の前面に当たりストッパーとなるため、後方に回動し過ぎることが無く、確実に正規の状態の鉛直方向と略平行となる位置の位置に戻すことができ、使い勝手を向上できる。
【００３５】
さらにリブ（Ｃ）２３により前壁部８が仮固定されるために、前壁部８を確実に正規の位置に固定でき、また持運び移動中で意図していない時に前壁部８が回動するのを防ぐことができる。なお、リブ（Ｃ）２３の高さは集塵袋５にごみが入っていない状態では乗り越えず、集塵袋５にごみが入り重量が重くなると、バスケット体６を傾けた際に乗り越えて前壁部８が回動するように調整してある。
【００３６】
また、図８に示すように、バスケット体６から集塵袋５を捨てる際に、前壁部８が規制リブ（Ｂ）２２に当接しストッパーとなるため、前壁部８が１８０度回動せず９０度の略水平位置に規制され、集塵袋５が一気に早く落ちその衝撃でゴミが舞い上がるのを防ぐことができる。また廃棄後、新しい集塵袋５を装着する際には、集塵袋５の口枠２０を水平方向に挿入するだけで簡単に装着でき、使い勝手を向上させることができる。
【００３７】
また、図９に示すように、集塵袋５を廃棄後、新しい集塵袋５を装着してバスケット体６を集塵室３に挿入する際に、万一、前壁部８が鉛直方向と略平行となる位置にない場合でも、挿入と同時に前壁部８が押圧部２４に押され正規の鉛直方向と略平行となる位置の位置に確実に規制されて挿入されるため、バスケット体６を集塵室３に挿入する際に、前壁部８が鉛直方向と略平行となる位置の位置にあるか、ないかを特に注意する必要が無く、煩わしさがないので、使い勝手を向上させることができる。また、本実施の形態では図２に示すように、押圧部２４はバスケット体６を挿入後、集塵袋５の口枠２０を固定する機能もある。
【００３８】
（実施の形態２）
図１０は、本発明の第２の実施の形態における電気掃除機のバスケット体の要部拡大図である。なお、上記実施の形態１と同一部分については同一符号を付してその説明を省略する。
【００３９】
本実施の形態は、図に示すように、前壁部８の軸１７とそれを軸支する底壁部１４の間に、前壁部８を右回り方向に付勢する付勢手段として付勢バネ２５を設けたものである。
【００４０】
また、バネ２５の付勢力はごみの入っていない集塵袋５の重量では付勢力が作用し、ごみの入った集塵袋５の重量がバネ２５の付勢力に打ち勝つように調整してある。
【００４１】
以上のように構成された電気掃除機について、以下その動作、作用を説明する。
【００４２】
ごみが一杯になった集塵袋５を捨てる際に、バスケット体６を傾けると、バネ２５の付勢力よりも集塵袋５の重力が勝り、前壁部８が回動して簡単に廃棄できる。一方、集塵袋５を廃棄後、新しい集塵袋５を装着した時は、バネ２５による付勢力により、前壁部８は自動的に回動し、確実に元の正規の鉛直方向と略平行となる位置位置に戻るため、使い勝手を向上させることができる。
【産業上の利用可能性】
【００４３】
以上のように、本発明にかかる電気掃除機は、バスケット体が集塵室より着脱し易く、又バスケット体から集塵袋を簡単に廃棄することができるので、家庭用、業務用の電気掃除機や集塵機に限らず、袋体に被回収品を回収しそれを袋体ごと廃棄するようにした各種機器、装置にも適用できる。
【図面の簡単な説明】
【００４４】
【図１】本発明の実施の形態１における電気掃除機の全体斜視図
【図２】同電気掃除機の掃除機本体の断面図
【図３】同電気掃除機のバスケット体の側面図
【図４】同バスケット体の正面図
【図５】同バスケット体の前壁部が回動した時の側面図
【図６】同バスケット体の前壁部が回動した時の斜視図
【図７】図４のＡ−Ａ断面図
【図８】同バスケット体の前壁部が回動した時の断面図
【図９】同掃除機本体にバスケット体を挿入する時の動作図
【図１０】本発明の実施の形態２における電気掃除機のバスケット体の要部拡大図
【図１１】従来の電気掃除機本体の側断面図
【図１２】同電気掃除機のバスケット体の側面図
【符号の説明】
【００４５】
１    掃除機本体
２    電動送風機
３    集塵室
４    集塵蓋
５    集塵袋
６    バスケット体
８    前壁部
９    クランプ
１０    ハンドル部
１０ａ  握り部
１４    底壁部
１５    側壁部
１６    後壁部
１９    溝部
２０    口枠
２１    規制リブ（Ａ）（第1の規制部）
２２    規制リブ（Ｂ）（第２の規制部）
２３    リブ（Ｃ）（リブ）
２４    押圧部
２５    バネ（付勢手段）
【図１】
2005237407.tif 000003
【図２】
2005237407.tif 000004
【図３】
2005237407.tif 000005
【図４】
2005237407.tif 000006
【図５】
2005237407.tif 000007
【図６】
2005237407.tif 000008
【図７】
2005237407.tif 000009
【図８】
2005237407.tif 000010
【図９】
2005237407.tif 000011
【図１０】
2005237407.tif 000012
【図１１】
2005237407.tif 000013
【図１２】
2005237407.tif 000014